(57)【要約】【課題】ブースター内に付着したダストを閉塞させずに洗浄・排出することのできる真空排気装置を提供する。【解決手段】ブースター３の端部３ａには、鉛直方向下向きに真っすぐに延びる排水管２０の一端が接続されている。排水管２０の他端は、第１槽２１の内部に挿入されている。排水管２０には、開閉バルブ２４が設けられている。第１槽２１には、洗浄水流通管２３を介して第２槽２２が連通している。洗浄水流通管２３の両端はそれぞれ、第１槽２１及び第２槽２２それぞれの上部開口にできるだけ近い位置でそれぞれの側面に接続されている。【選択図】図１
2017066447.tif 000002
【特許請求の範囲】
【請求項１】
一端が真空タンクに連通するブースターと、
該ブースターの他端が連通するコンデンサーと
を備え、前記他端から前記一端に向かって鉛直方向下向きに傾斜するように前記ブースターが設けられている、前記真空タンク内を排気する真空排気装置であって、
前記ブースターには、該ブースターの内部を洗浄するための洗浄水を供給する洗浄水供給手段が設けられ、
前記ブースターの前記一端には、前記洗浄水供給手段から供給された洗浄水が流通する排水管の一端が接続され、該排水管のどの部分も、鉛直方向下向きに対して０°以上９０°未満の角度をなすように設けられている真空排気装置。
【請求項２】
前記排水管は、その全長さに沿って鉛直方向下向きに対して０°の角度をなすように設けられている、請求項１に記載の真空排気装置。
【請求項３】
前記排水管の他端は、ダストを含む洗浄水を一時的に貯留する排水槽に連通し、
該排水槽は、
前記ダストを沈降分離する第１槽と
該第１槽でダストを分離された洗浄水が流入する第２槽と
を備える、請求項１または２に記載の真空排気装置。
【発明の詳細な説明】
【技術分野】
【０００１】
この発明は、ＶＯＤやＲＨ等の真空脱ガス装置の真空排気装置に関する。
【背景技術】
【０００２】
従来のＲＨ真空脱ガス装置の真空排気装置が特許文献１に開示されている。この真空排気装置は、排気ダクトを介してＲＨ真空脱ガス装置に一端が連通するとともに他端がコンデンサーに連結する減圧用多段ブースターを備えている。この減圧用多段ブースターは、ＲＨ真空脱ガス装置に連通する端部からコンデンサーに連結する端部に向かって鉛直方向下向きに傾斜するように設けられている。
【０００３】
ＲＨ真空脱ガス装置からの排ガスにはダストが含まれる場合があり、この排ガスが減圧用多段ブースターに流入したときにその内壁にダストが付着して、真空生成機能が低下するおそれが生じる。このため、特許文献１に開示された真空排気装置には、減圧用多段ブースターとコンデンサーとの間にダスト捕集用のフィルターを設けている。捕集されたダストは、洗浄スプレー装置で水洗浄することによりフィルターから除去し、コンデンサーを介して真空排気装置から排出される。
【０００４】
しかしながら、特許文献１に記載の真空排気装置では、減圧用多段ブースターの一端がコンデンサーよりも高い位置にあるので、真空排気装置が大型化し、それを設置する建屋も天井を高くする必要があるので大型化してしまう。これに対して、コンデンサーに連結する端部からＲＨ真空脱ガス装置に連通する側の端部に向かって鉛直方向下向きに（すなわち、特許文献１における減圧用多段ブースターの傾斜方向とは逆方向に）傾斜するように減圧用多段ブースターを設ければ、全体の高さが低くなるので、真空排気装置を小型化することができる。ただし、この場合には、減圧用多段ブースターの内壁に付着したダストを水洗浄した際の排水は、ＲＨ真空脱ガス装置に連通する側の端部から排水管を介して排水層に排出する必要がある。
【先行技術文献】
【特許文献】
【０００５】
【特許文献１】特開平８−３１１５３３号公報
【発明の概要】
【発明が解決しようとする課題】
【０００６】
特許文献１における減圧用多段ブースターの傾斜方向とは逆方向に傾斜するように減圧用多段ブースターを設けた場合、排水管及び排水層の配置によっては、それらの途中で排水が滞留し、水が蒸発することでダストが排水経路を閉塞してしまうおそれがあった。また、排水が減圧用多段ブースター内に残ることで、真空生成機能に影響を及ぼすこともある。
【０００７】
この発明はこのような問題を解決するためになされたもので、ブースター内に付着したダストを閉塞させずに洗浄・排出することのできる真空排気装置を提供することを目的とする。
【課題を解決するための手段】
【０００８】
この発明に係る真空排気装置は、一端が真空タンクに連通するブースターと、ブースターの他端が連通するコンデンサーとを備え、他端から一端に向かって鉛直方向下向きに傾斜するようにブースターが設けられている、真空タンク内を排気する真空排気装置であって、ブースターには、ブースターの内部を洗浄するための洗浄水を供給する洗浄水供給手段が設けられ、ブースターの一端には、洗浄水供給手段から供給された洗浄水が流通する排水管の一端が接続され、排水管のどの部分も、鉛直方向下向きに対して０°以上９０°未満の角度をなすように設けられている。
排水管は、その全長さに沿って鉛直方向下向きに対して０°の角度をなすように設けられていてもよい。
排水管の他端は、ダストを含む洗浄水を一時的に貯留する排水槽に連通し、排水槽は、ダストを沈降分離する第１槽と第１槽でダストを分離された洗浄水が流入する第２槽とを備えてもよい。
【発明の効果】
【０００９】
この発明によれば、ブースターの内部を洗浄した洗浄水が流通する排水管のどの部分も、鉛直方向下向きに対して０°以上９０°未満の角度をなすように設けられていることにより、排水管内で洗浄水が滞留することがないので、ブースター内に付着したダストを閉塞させずに洗浄・排出することができる。
【図面の簡単な説明】
【００１０】
【図１】この発明の実施の形態に係る真空排気装置の概略構成図である。
【図２】この実施の形態に係る真空排気装置の排水槽の変形例の概略構成図である。
【発明を実施するための形態】
【００１１】
以下、この発明の実施の形態を添付図面に基づいて説明する。
図１に示されるように、ＶＯＤやＲＨ等の真空脱ガス装置の真空タンク１に、真空タンク１内を排気するための真空排気装置１０が接続されている。真空排気装置１０は、コンデンサー２と、スチームエジェクターが多段（この実施の形態では３段であるが、３段に限定するものではない）に配列されたブースター３とを備えている。ブースター３の一方の端部３ａは、排気ダクト４を介して真空タンク１に連通している。排気ダクト４には、ガスクーラー５が設けられている。
【００１２】
コンデンサー２は、第１コンデンサー２ａと、第１コンデンサー２ａの下流に設けられた第２コンデンサー２ｂとから構成されている。ブースター３の他方の端部３ｂは、第１コンデンサー２ａに接続されている。第２コンデンサー２ｂには、一端がスチームヘッダー１１に接続するスチームライン１２の他端が接続されており、スチームライン１２には、エジェクター１３が設けられている。第１コンデンサー２ａ及び第２コンデンサー２ｂにはそれぞれ、一端が冷却水ヘッダー１４に接続された冷却水ライン１５ａ及び１５ｂの他端が第１コンデンサー２ａ及び第２コンデンサー２ｂのそれぞれの内部に挿入されて鉛直方向下方を向くように接続されている。第１コンデンサー２ａ及び第２コンデンサー２ｂの底部にはそれぞれ、排水管３１ａ及び３１ｂの一端が接続されており、それらの他端は、ホットウェル３０内に挿入されている。
【００１３】
ブースター３は、端部３ｂから端部３ａに向かって鉛直方向下向きに傾斜するように設けられている。ブースター３には、一端がスチームヘッダー１１に接続された３つのスチームライン１６ａ，１６ｂ，１６ｃの他端がそれぞれ、ブースター３の各スチームエジェクターの内部に挿入されて端部３ｂ側を向くように接続されている。また、ブースター３には、一端が水源１７に接続する３つの洗浄水ライン１８ａ，１８ｂ，１８ｃの他端がそれぞれ、ブースター３の各スチームエジェクターの内部に挿入されて端部３ａ側を向くように接続されている。洗浄水ライン１８ａ，１８ｂ，１８ｃのそれぞれには、開閉バルブ１９ａ，１９ｂ，１９ｃが設けられている。ここで、洗浄水ライン１８ａ，１８ｂ，１８ｃ及び開閉バルブ１９ａ，１９ｂ，１９ｃは、ブースター３の内部に洗浄水を供給するための洗浄水供給手段を構成する。
【００１４】
ブースター３の端部３ａには、鉛直方向下向きに真っすぐに延びる排水管２０の一端が接続されている。排水管２０の他端は、第１槽２１の内部に挿入されている。排水管２０には、開閉バルブ２４が設けられている。第１槽２１は、洗浄水流通管２３を介して第２槽２２と連通している。洗浄水流通管２３の両端はそれぞれ、第１槽２１及び第２槽２２それぞれの上部開口にできるだけ近い位置でそれぞれの側面に接続されている。尚、洗浄水流通管２３は水平に設けられている。第２槽２２の側面には、排水管３２の一端が接続されており、その他端はホットウェル３０内に挿入されている。排水管３２には、排水ポンプ３３が設けられている。ここで、第１槽２１及び第２槽２２は、排水管２０を介してブースター３の内部から排出された洗浄水を一時的に貯留する排水槽を構成する。
【００１５】
次に、この発明の実施の形態に係る真空排気装置１０の動作について説明する。
ブースター３及びエジェクター１３に供給される水蒸気の量及び圧力を調整して真空度の制御を行うことにより、真空タンク１内のガスが排気ガスとして吸引される。排気ガスは、排気ダクト４、ブースター３、第１コンデンサー２ａ、第２コンデンサー２ｂを順次流通した後、第２コンデンサー２ｂの上部に接続された排気管２９を介して大気中へ排気される。真空タンク１から排気された排気ガスにはダストが混入される場合がある。ダストを含む排気ガスがブースター３内に流入すると、ブースター３の内壁に付着して真空排気装置１０の真空生成機能が低下してしまうおそれがあるので、ブースター３の内壁に付着したダストを洗浄する必要がある。
【００１６】
次に、ブースター３の内壁に付着したダストを洗浄する動作について説明する。
開閉バルブ１９ａ，１９ｂ，１９ｃを開くことにより、ブースター３内に洗浄水を供給する。これにより、洗浄水が、ブースター３の内壁に付着したダストを洗浄する。ブースター３は、端部３ｂから端部３ａに向かって鉛直方向下向きに傾斜するように設けられているので、ダストを含む洗浄水は、端部３ａ側に向かって流下する。開閉バルブ２４を開くことにより、端部３ａ側に向かって流下したダストを含む洗浄水は、排水管２０に流入し、排水管２０内を流下する。
【００１７】
ここで、排水管２０は鉛直方向下向きに真っすぐに延びているので、排水管２０内で洗浄水が滞留するおそれはない。このため、洗浄水に含まれるダストが排水管２０を閉塞するおそれもなく、ダストを含む洗浄水が第１槽２１に流入する。第１槽２１において、ダストは沈降し第１槽２１の底部に溜まる。洗浄水流通管２３は、第１槽２１の上部開口にできるだけ近い位置でその側面に接続されているので、洗浄水流通管２３を通って第２槽２２内に流入する洗浄水にはダストは含まれていない。第２槽２２内の洗浄水は、排水ポンプ３３によってホットウェル３０に移送されるが、移送される洗浄水にダストは含まれていないため、ダストによる排水管３２及び排水ポンプ３３の詰まりが生じることはない。
【００１８】
このように、ブースター３の内部を洗浄した洗浄水が流通する排水管２０は、どの部分も鉛直方向下向きに真っすぐに延びるように設けられていることにより、排水管２０内で洗浄水が滞留することがないので、ブースター３内に付着したダストを閉塞させずに洗浄・排出することができる。
【００１９】
この実施の形態では、排水管２０は、どの部分も鉛直方向下向きに真っすぐに延びるように（すなわち、排水管２０のどの部分も鉛直方向下向きに対して０°の角度をなすように）設けられていたが、この形態に限定するものではない。排水管２０の途中に水平な部分や、洗浄水が流れる方向に対して鉛直方向上向きに傾斜する部分がなければよい。すなわち、排水管２０は、どの部分も鉛直方向下向きに対して０°以上９０°未満の角度をなすように設けられていればよい。ただし、排水管２０の任意の部分で鉛直方向下向きに対して９０°に近い角度をなすような場合には、当該部分において洗浄水が滞留してしまう可能性がある。このため、排水管２０は、どの部分も可能な限り鉛直方向下向きに対して０°に近い角度とすることが好ましい。
【００２０】
この実施の形態では、排水槽は、第１槽２１及び第２槽２２がそれぞれ別々の容器から構成され、これらの容器間を洗浄水流通管２３を介して連通していたが、この形態に限定するものではない。図２に示されるように、１つの容器で排水槽４０を構成し、排水槽４０の内部を仕切板部材４３によって区画することにより、第１槽２１及び第２槽２２を構成してもよい。仕切板部材４３の上辺には切欠き部４４が形成されており、この切欠き部４４を通して第１槽２１と第２槽２２とを連通することができる。また、切欠き部４４に代えて、仕切板部材４３の上辺近辺に貫通孔を形成するか、あるいは、仕切板部材４３の上辺の高さを排水槽４０の上部開口よりも低くすることにより、第１槽２１と第２槽２２とを連通してもよい。
【００２１】
この実施の形態では、エジェクター１３を介してスチームが供給される第２コンデンサー２ｂは１つであったが、このようなコンデンサーを２つ以上直列に配列することにより第２コンデンサーを構成してもよい。
【符号の説明】
【００２２】
１  真空タンク、２  コンデンサー、３  ブースター、３ａ  （ブースターの）端部（一端）、３ｂ  （ブースターの）端部（他端）、１０  真空排気装置、１８ａ，１８ｂ，１８ｃ  洗浄水ライン（洗浄水供給手段）、１９ａ，１９ｂ，１９ｃ  開閉バルブ（洗浄水供給手段）、２０  排水管、２１  第１槽（排水槽）、２２  第２槽（排水槽）、４０  排水槽。
【図１】
2017066447.tif 000003
【図２】
2017066447.tif 000004